(57)【特許請求の範囲】
【請求項１】
ＬＡＮケーブルを介して映像信号を送信する送信部とパン動作駆動部とティルト動作駆動部とを備え、前記ＬＡＮケーブルを介して電力供給を受けることができ且つ外部電源から電力供給を受けることができるネットワークカメラであって、
前記外部電源から電力供給を受けているのか、前記ＬＡＮケーブルを介して電力供給を受けているのかを判定する電力供給源判定手段と、
前記電力供給源判定手段によって外部電源から電力供給を受けていると判定された場合には、前記ティルト動作駆動部の駆動を可能とし、前記電力供給源判定手段によってＬＡＮケーブルを介して電力供給を受けていると判定された場合には、前記ティルト動作駆動部の駆動を禁止する制御手段と、
を有していることを特徴とするネットワークカメラ。
【請求項２】
赤外カットフィルター切替駆動部を備え、ＬＡＮケーブルを介して電力供給を受けることができ且つ外部電源から電力供給を受けることができるネットワークカメラであって、
前記外部電源から電力供給を受けているのか、前記ＬＡＮケーブルを介して電力供給を受けているのかを判定する電力供給源判定手段と、
前記電力供給源判定手段によって外部電源から電力供給を受けていると判定された場合には、前記赤外カットフィルター切替駆動部の駆動を可能とし、前記電力供給源判定手段によってＬＡＮケーブルを介して電力供給を受けていると判定された場合には、前記赤外カットフィルター切替駆動部の駆動を禁止する制御手段と、
を有していることを特徴とするネットワークカメラ。
【請求項３】
ＬＡＮケーブルを介して映像信号を送信する送信部とズーム動作駆動部とを備え、前記ＬＡＮケーブルを介して電力供給を受けることができ且つ外部電源から電力供給を受けることができるネットワークカメラであって、
前記外部電源から電力供給を受けているのか、前記ＬＡＮケーブルを介して電力供給を受けているのかを判定する電力供給源判定手段と、
前記電力供給源判定手段によって外部電源から電力供給を受けていると判定された場合には、前記ズーム動作駆動部の駆動を可能とし、前記電力供給源判定手段によってＬＡＮケーブルを介して電力供給を受けていると判定された場合には、前記ズーム動作駆動部の駆動を禁止する制御手段と、
を有していることを特徴とするネットワークカメラ。
【発明の詳細な説明】
【技術分野】
【０００１】
本発明は、ＰＯＥ（Ｐｏｗｅｒ  Ｏｖｅｒ  Ｅｔｈｅｒｎｅｔ（登録商標））の信号ケーブル等の信号伝達手段を介して電源を供給する、いわゆる電源重畳により電源供給されるネットワークカメラに関する。
【背景技術】
【０００２】
従来、監視カメラはＣＣＴＶ（Ｃｌｏｓｅｄ−Ｃｉｒｃｕｉｔ  ＴＶ）と呼ばれるカメラを使用し、ビデオケーブルによりＮＴＳＣ等の映像信号を出力し、それをタイムラプスレコーダーで記録するとともにモニターで監視している。このビデオケーブルにて電源を供給するもの（電源重畳）も販売されている。
【０００３】
近年、ネットワークによる監視カメラが普及してきた。ネットワークで監視することにより、単にモニターによる監視だけでなく、入退室システム等のセキュリティとも連携でき、よりこまやかでかつ、安心できる監視システムが実現できるようになってきた。
【０００４】
ネットワークにおいてもＬＡＮケーブルを使ったＰＯＥ（Ｐｏｗｅｒ  Ｏｖｅｒ  Ｅｔｈｅｒｎｅｔ）で電源重畳できるものが開発され、外部電源なしにカメラを駆動できるものが販売されている。特に監視カメラの場合、外部電源が設置されていない屋外にも設置せねばならないために、電源重畳は単に配線等の煩わしさを解消するだけでなく、外部電源の設置費用も不要となり、市場での要望が高い。
一方で、監視カメラは多機能になり、ＡＦ（Ａｕｔｏ  Ｆｏｃｕｓ）や電動ズーム可能なレンズを搭載したものやパンおよびティルト駆動もできるものが発売されている。
【０００５】
ＰＯＥにおける外部機器の規格上の上限は１２．９５Ｗであるが、余裕を考慮した場合、１０Ｗ程度が上限となる。機能の仕様によって異なるが、代表的なものでは、映像出力に２．５Ｗ、映像および信号通信に２Ｗ、フォーカスに０．７Ｗ、ズームに０．８Ｗ、パンに３Ｗ、ティルトに３Ｗ、ＩＲカット切替に０．７Ｗで全て一緒に駆動した場合は合計約１３Ｗ必要である。これまでＰＯＥでパンあるいはティルト機能ができるものは無かった。
【０００６】
また、特許文献１（特開２００２−１３１８０６号公報）に開示されているものはＵＳＢで電源供給が行なわれ、パン駆動およびティルト駆動は行なわれているものの、ＡＦやズームといった機能は無く、消費電力を極力押えるために像の歪みや画像を犠牲にしている。特許文献２（特開平８−２７９９５２号公報）で開示されているものはパンおよびティルトについて記述しているものの、雲台装置単体に関するもので、映像出力等については記述されていない。また、電池等による電源電圧が低下した場合について、記述したものである。
【特許文献１】特開２００２−１３１８０６号公報
【特許文献２】特開平８−２７９９５２号公報
【発明の開示】
【発明が解決しようとする課題】
【０００７】
多機能なカメラはモーターを使用して各機能を駆動しているために多くの電力供給が必要であるが、ＰＯＥ等の電源重畳では多くの電力供給をすることは出来ないという問題がある。
本発明は、監視カメラ等の撮像装置で必須である映像出力を損なうことなく、十分な電力供給がある従来の外部電源用の撮像装置に対して、像歪や画像を犠牲にすることがないネットワークカメラを提供することを課題とする。
本発明者は、監視カメラ等の撮像装置においては、全ての機能が常時必要というものではなく、各機能を考慮して、組合せを考えることにより、上記課題を解決できることを見出し、本発明をなすに至った。
【課題を解決するための手段】
【０００８】
本発明に係るネットワークカメラは、ＬＡＮケーブルを介して映像信号を送信する送信部とパン動作駆動部とティルト動作駆動部とを備え、前記ＬＡＮケーブルを介して電力供給を受けることができ且つ外部電源から電力供給を受けることができるネットワークカメラであって、前記外部電源から電力供給を受けているのか、前記ＬＡＮケーブルを介して電力供給を受けているのかを判定する電力供給源判定手段と、前記電力供給源判定手段によって外部電源から電力供給を受けていると判定された場合には、前記ティルト動作駆動部の駆動を可能とし、前記電力供給源判定手段によってＬＡＮケーブルを介して電力供給を受けていると判定された場合には、前記ティルト動作駆動部の駆動を禁止する制御手段と、を有していることを特徴とする。
また、本発明に係るネットワークカメラは、赤外カットフィルター切替駆動部を備え、ＬＡＮケーブルを介して電力供給を受けることができ且つ外部電源から電力供給を受けることができるネットワークカメラであって、前記外部電源から電力供給を受けているのか、前記ＬＡＮケーブルを介して電力供給を受けているのかを判定する電力供給源判定手段と、前記電力供給源判定手段によって外部電源から電力供給を受けていると判定された場合には、前記赤外カットフィルター切替駆動部の駆動を可能とし、前記電力供給源判定手段によってＬＡＮケーブルを介して電力供給を受けていると判定された場合には、前記赤外カットフィルター切替駆動部の駆動を禁止する制御手段と、を有していることを特徴とする。
【０００９】
また、本発明に係るネットワークカメラは、ＬＡＮケーブルを介して映像信号を送信する送信部とズーム動作駆動部とを備え、前記ＬＡＮケーブルを介して電力供給を受けることができ且つ外部電源から電力供給を受けることができるネットワークカメラであって、前記外部電源から電力供給を受けているのか、前記ＬＡＮケーブルを介して電力供給を受けているのかを判定する電力供給源判定手段と、前記電力供給源判定手段によって外部電源から電力供給を受けていると判定された場合には、前記ズーム動作駆動部の駆動を可能とし、前記電力供給源判定手段によってＬＡＮケーブルを介して電力供給を受けていると判定された場合には、前記ズーム動作駆動部の駆動を禁止する制御手段と、を有していることを特徴とする。
【発明の効果】
【００１０】
本発明によれば、電源重畳により駆動する場合にも、像歪や画像を犠牲にすることがないネットワークカメラを提供することができる。
【発明を実施するための最良の形態】
【００１１】
本発明の好ましい第１の実施の形態では、撮像レンズ、該撮像レンズで集光された光を電気信号に変換し、映像を出力する手段、該映像を出力する手段以外に少なくとも２つ以上の電力を消費する手段、電源供給は前記映像を出力する手段との電源重畳および外部電源により電源を供給される撮像装置において、前記電力を消費する手段は３つのグループに分かれ、第１のグループのものは他のグループに対して優先的に駆動し、第２のグループのものは第３のグループのものに対して優先的に駆動し、外部電源を使用する場合は優先しないことを特徴とする。
【００１２】
本発明の好ましい第２の実施の形態では、撮像レンズ、該撮像レンズで集光された光を電気信号に変換し、映像を出力する手段、該映像を出力する手段以外に少なくとも２つ以上の電力を消費する手段、電源供給は前記映像を出力する手段との電源重畳および外部電源により電源を供給される撮像装置において、電力を消費するものは２つのグループに分かれ、第１のグループのものは第２のグループのものに対して優先的に駆動し、外部電源で駆動する場合は優先しないことを特徴とする。
【００１３】
本発明の好ましい第３の実施の形態では、撮像レンズ、該撮像レンズで集光された光を電気信号に変換し、映像を出力する手段、該映像を出力する手段以外に少なくとも２つ以上の電力を消費する手段、電源供給は前記映像を出力する手段との電源重畳で供給される撮像装置において、前記電力を消費する手段は３つのグループに分かれ、第１のグループのものは他のグループに対して優先的に駆動し、第２のグループのものは第３のグループのものに対して優先的に駆動することを特徴とする。
【００１４】
本発明の撮像装置は、例えば、監視カメラとして用いられる。
監視カメラであるので映像出力は全てに対して優先でなければならない。映像通信は常時の場合と静止画等を所定の周期で送信する場合とがある。フォーカスは常時使用ではないが、ピントが合っていなければ監視カメラとしての機能をなさないし、被写体が移動した場合やパン、ティルトを行なった場合でもフォーカスは必要なので最優先機能の一つである。パンは重要な機能であり、ティルト、ズーム、ＩＲカットフィルター切替に対して、優先機能であるとしている。ただし、ビル内の廊下等の細長い場所等の監視はパンではなく、ティルトを優先にすることは言うまでもない。ズーム機能は広角にすれば監視は可能であり、パンおよびティルト機能に対して下位の優先機能である。ＩＲカットフィルター切替機能は通常、カラーと白黒の切替を行っており、どちらを選択しても監視は可能であるので、パンおよびティルト機能に対して下位の優先機能である。このように電力を消費するものを複数のグループに分ける。
【００１５】
３グループに分ける場合、例えば、第１のグループは映像を出力する手段、映像通信手段および撮像レンズフォーカス手段とし、第２のグループはパンあるいはティルト駆動手段とし、第３のグループは撮像レンズズーム手段および赤外カットフィルター挿抜手段とする。
２グループに分ける場合は、例えば、第１のグループは映像を出力する手段および撮像レンズフォーカス手段とし、第２のグループは撮像レンズズーム手段とする。
【実施例】
【００１６】
以下、本発明の実施例を説明する。
［実施例１］
第１の実施例は、信号伝達手段を介して給電される撮像装置が監視カメラシステムの場合である。
図１は本発明の実施例１に係る監視カメラシステムの全体図である。同図において、１はネットワークサーバ機能を内蔵したネットワークカメラであり、撮像レンズと該撮像レンズで集光された光を電気信号に変換する光電変換機能を持ち、フォーカス機能、ズーム機能およびＩＲカットフィルター切替機能を内蔵している。ネットワークサーバ機能とカメラ機能を別々に構成しても良い。４はネットワークカメラ１に電源を供給する外部電源である。
【００１７】
５はＰＯＥハブであり、ネットワークカメラ１に所定の電力供給と映像信号およびズーム等の制御コマンド信号の伝達を、ネットワーク２を介して行なう。２はネットワークであり、通常のネットワークあるいはＬＡＮ（Ｌｏｃａｌ  Ａｒｅａ  Ｎｅｔｗｏｒｋ）である。３は監視用のモニターを兼ねたネットワークサーバであり、映像表示および制御コマンド信号を、ネットワーク２を介してネットワークカメラ１に出すことができる。
【００１８】
図２は実施例１のブロック構成を示す。同図において、１０１はＰＯＥ端子であり、図１に示すＰＯＥハブ５と結合され、ネットワーク信号に変換された映像信号の出力、制御コマンド信号の入出力および電力の供給を行なうためのＩ／Ｆ端子である。１０２は制御部であり、後述するフォーカス動作、ズーム動作、パン動作、ティルト動作、ＩＲカットフィルター切替動作の各モータードライバを制御し、後述する映像制御部１０５から映像信号をネットワーク信号に変換し、ＰＯＥ端子１０１を介して、ネットワーク２に映像を通信する。
【００１９】
４は図１にも示した外部電源であり、全ての機能が同時に行なわれても十分な電力を供給することが可能である。
１０４はＣＣＤ等からなる光電変換素子である。１０５は映像制御部であり、１０４により光電変換された被写体像を映像信号に変換し、制御部１０２へ出力する。
【００２０】
フォーカス動作はＡＦ（図示せず）信号やネットワークサーバ３（図１）からのフォーカス制御コマンドにより、ＰＯＥ端子１０１および制御部１０２を介してフォーカス動作モータードライバ１０６を動作させ、これにより、モーターおよび駆動メカからなるフォーカス動作駆動部１０７が動作することで、フォーカス動作が行なわれる。
【００２１】
ズーム動作はネットワークサーバ３からのズーム制御コマンドにより、ＰＯＥ端子１０１および制御部１０２を介してズーム動作モータードライバ１０８を動作させ、これにより、モーターおよび駆動メカからなるズーム動作駆動部１０９が動作することで、ズーム動作が行なわれる。
【００２２】
パン動作はネットワークサーバ３からのパン制御コマンドにより、ＰＯＥ端子１０１および制御部１０２を介してパン動作モータードライバ１１０を動作させ、これにより、モーターおよび駆動メカからなるパン動作駆動部１１１が動作することで、パン動作が行なわれる。
【００２３】
ティルト動作はネットワークサーバ３からのティルト制御コマンドにより、ＰＯＥ端子１０１および制御部１０２を介してティルト動作モータードライバ１１２を動作させ、これにより、モーターおよび駆動メカからなるティルト動作駆動部１１３が動作することで、ティルト動作が行なわれる。
【００２４】
ＩＲカットフィルター切替動作はネットワークサーバ３からのＩＲカットフィルター切替制御コマンドにより、ＰＯＥ端子１０１および制御部１０２を介してＩＲカットフィルター切替動作モータードライバ１１４を動作させ、これにより、モーターおよび駆動メカからなるＩＲカットフィルター切替動作駆動部１１５が動作することで、ＩＲカットフィルター切替動作が行なわれる。
【００２５】
また、制御部１０２は外部電源４から電力供給がある場合には外部電源４から電力供給を受けるようになっている。外部電源から電力供給がない場合にはＰＯＥ端子より、電力供給を受ける。
なお、モーターは動作が行なわれていても、惰性で駆動され、電力を消費していないものがあるが、この場合は消費されなくなった時点で動作が行なわれていないものとすることとする。
【００２６】
図３は本実施例１のフローチャートである。
不図示の電源が投入されることにより、ステップ２０１で動作を開始し、まず、ステップ２０２で外部電源からの供給でないか、否かを確認する。外部電源から供給の場合はステップ２０２でＮＯとなり、ステップ２０１へ戻り、これを繰り返す。すなわち、電力を外部電源４、７（図４）から供給する場合は、フォーカス、ズーム、パン、ティルト、ＩＲカットフィルター切替のいずれもが常時駆動可能となり、これらの間ならびにこれらと映像出力および映像通信との間に駆動の優先順位はない。
【００２７】
ＰＯＥから電源を供給している場合にはステップ２０２でＹＥＳとなり、ステップ２０３へ進む。ステップ２０３では映像および信号の通信中でないかを確認する。通信中でない場合はＹＥＳであり、所定の電力を超えることが無い場合である。ステップ２０３でＹＥＳであれば、スタート（ステップ２０１）へ戻り、これを繰り返す。すなわち、映像および信号の通信中でなければ、
ステップ２０３で通信中の場合はＮＯとなり、ステップ２０４へ進む。
【００２８】
ステップ２０４ではズーム、ティルトあるいはＩＲカットフィルターが切替中でないかを確認する。ズーム、ティルトあるいはＩＲカットフィルターの駆動がいずれも行なわれていない場合はＹＥＳとなり、所定の電力の許容値を超えることがない場合である。ＹＥＳの場合は、スタート（ステップ２０１）へ戻り、これを繰り返す。すなわち、フォーカス、ズーム、パン、ティルト、ＩＲカットフィルター切替のいずれもが駆動可能となる。言い換えれば、各グループに属する手段の全部が同時に駆動された場合でも、信号伝達手段（本実施例ではＰＯＥ）を介して給電される電力の許容値を超えないような組み合わせが実現されている。
【００２９】
ステップ２０４ではズーム、ティルトあるいはＩＲカットフィルターのうち少なくとも一つでも駆動中の場合はＮＯとなり、ステップ２０５へ進む。ステップ２０５ではパン動作が行なわれているかを確認し、もし行なわれていない場合は所定の電力の許容値を超えることがない場合であり、ＹＥＳとなり、スタートステップ２０１へ戻り、これを繰り返す。すなわち、ズーム、ティルトあるいはＩＲカットフィルターの駆動を可能にする。
【００３０】
パン動作が行なわれている場合は所定の電力の許容値を超える可能性がある。この場合、ステップ２０４の判定はＮＯとなり、ステップ２０６へ進む。ステップ２０６ではズーム、ティルトあるいはＩＲカットフィルターの駆動を駆動中であっても禁止する。次いで、ステップ２０７へ進み、パン駆動を開始する。すなわち、パン駆動はズーム、ティルト駆動およびＩＲカットフィルター切替に優先して行なう。なお、フォーカス駆動は、映像及び信号通信とともに最優先で行なう。
【００３１】
［実施例２］
以下に、本発明の実施例２を説明する。
図４は本発明の実施例２に係る監視カメラシステムの全体図である。同図において、１および６はネットワークカメラであり、撮像レンズと該撮像レンズで集光された光を電気信号に変換する光電変換機能を持ち、フォーカス機能、ズーム機能を内蔵している。また、これらのカメラ１および６は定期的に静止画を通信するように設定されている。４および７はネットワークカメラ１および６それぞれに電源を供給する外部電源である。５はＰＯＥハブであり、所定の電力供給と映像信号およびズーム等の制御コマンド信号の伝達を行なう。ＰＯＥハブ５はネットワークカメラ１および６に接続されている。２はネットワークであり、通常のネットワークあるいはＬＡＮ（Ｌｏｃａｌ
Ａｒｅａ Ｎｅｔｗｏｒｋ）である。３は監視用のモニターを兼ねたネットワークサーバであり、映像表示および制御コマンド信号を、ネットワーク２を介して、ネットワークカメラ１に出すことができる。
【００３２】
一つのハブで２台を駆動しているために電源重畳による給電時には、それぞれのカメラで所定の電力の半分までしか使用できないことになる。この場合、映像出力、フォーカス動作および映像通信を行なうとほぼ所定の電力の半分まで使用するため、ズーム機能等の駆動が出来なくなる。そこで、本実施例では、映像通信を行なっていない場合にズーム駆動を行なうようにしている。
【００３３】
図５は実施例２に係るネットワークカメラ１あるいは６のブロック構成を示す。同図において、３０１はＰＯＥ端子であり、ＰＯＥハブ５と結合され、ネットワーク信号に変換された映像信号の出力、制御コマンド信号の入出力および電力の供給を行なうためのＩ／Ｆ端子である。３０２は制御部であり、後述するフォーカス動作、ズーム動作の各モータードライバを制御し、後述する映像制御部３０５から映像信号をネットワーク信号に変換し、ＰＯＥ端子３０１を介してネットワーク２へ映像を通信する。
【００３４】
４および７は外部電源であり、全ての機能が同時に行なわれても十分な電力を供給することが可能である。
３０４はＣＣＤ等からなる光電変換素子である。３０５は映像制御部であり、３０４により光電変換された被写体像を映像信号に変換し、制御部３０２へ出力する。
【００３５】
フォーカス動作はＡＦ（図示せず）信号やネットワークサーバ３からのフォーカス制御コマンドにより、ＰＯＥ端子３０１および制御部３０２を介してフォーカス動作モータードライバ３０６を動作させ、これにより、モーターおよび駆動メカからなるフォーカス動作駆動部３０７が動作することで、フォーカス動作が行なわれる。
【００３６】
ズーム動作はネットワークサーバ３からのズーム制御コマンドにより、ＰＯＥ端子３０１および制御部３０２を介してズーム動作モータードライバ３０８を動作させ、これにより、モーターおよび駆動メカからなるズーム動作駆動部３０９が動作することで、ズーム動作が行なわれる。
また、制御部３０２は外部電源３０３から電力供給がある場合には外部電源３０３から電力供給を受けるようになっている。外部電源から電力供給がない場合にはＰＯＥ端子より、電力供給を受ける。
【００３７】
図６は本実施例２のフローチャートである。
電源（図示せず）が投入されることにより、スタート（ステップ４０１）となり、まず、ステップ４０２で外部電源からの電力供給でないか、どうかを確認する。外部電源から供給する場合はＮＯとなり、ステップ４０１へ戻り、これを繰り返す。すなわち、外部電源からの電力を供給する場合は、すべての機能を常時駆動可能とする。
【００３８】
ＰＯＥから電源を供給している場合にはステップ４０２でＹＥＳとなり、ステップ４０３へ進む。ステップ４０３ではズーム中でないかを確認する。ズームが行なわれていない場合は所定の電力を超えることがない場合であり、ＹＥＳとなる。ステップ４０３でＹＥＳの場合は、スタートステップ４０１へ戻り、これを繰り返す。ステップ４０３でズーム中である場合はＮＯとなり、ステップ４０４へ進む。ステップ４０４では映像および信号の通信信号がないかを確認する。映像および信号の通信信号がない場合は所定の電力を超えることが無い場合であり、ＹＥＳとなり、スタート（ステップ４０１）へ戻り、これを繰り返す。映像および信号通信信号がある場合はＮＯとなり、ステップ４０６へ進む。そして、ズーム駆動を禁止し、スタートステップ４０１へ戻る。
【００３９】
上記動作により、映像および信号通信の要求が発生した場合は、たとえズーム駆動中であってもこれを禁止し、映像および信号通信を優先して行なう。また、フォーカス駆動は、常時可能である。すなわち、映像および信号通信ならびにフォーカス駆動は、ズーム駆動に優先して行なわれる。
【００４０】
上述の実施例１によれば、電源重畳でカメラを駆動する場合、電力を消費する手段を３つのグループに分け、第１のグループのもの（映像および信号通信、フォーカス）は他のグループに対して優先的に駆動し、第２のグループのもの（パン）は第３のグループのもの（ズーム、ティルト、ＩＲフィルター切替）に対して優先的に駆動することにより、外部電源による駆動する場合とほぼ同等な性能を引き出すことができる。
また、電力消費を行なう機能が少ない場合には、実施例２に示すように、２つのグループに分けることにより、２台以上のカメラの場合も適応することができる。
【図面の簡単な説明】
【００４１】
【図１】本発明の実施例１に係る監視カメラシステムの全体図である。
【図２】図１におけるネットワークカメラの構成図である。
【図３】図２のカメラの動作を示すフローチャートである。
【図４】本発明の実施例２に係る監視カメラシステムの全体図である。
【図５】図４におけるネットワークカメラの構成図である。
【図６】図５のカメラの動作を示すフローチャートである。
【符号の説明】
【００４２】
１：ネットワークカメラ
２：ネットワーク
３：ネットワークサーバ
４：外部電源
５：ＰＯＥハブ
１０１：ＰＯＥ端子
１０２：制御部
１０４：光電変換素子
１１１：パン動作駆動部
【図１】
0004546221.tif 000002
【図２】
0004546221.tif 000003
【図３】
0004546221.tif 000004
【図４】
0004546221.tif 000005
【図５】
0004546221.tif 000006
【図６】
0004546221.tif 000007